(57)【要約】  【課題】      基板の強度を高めることによってその変形を防止する。  【解決手段】  一体型床暖房パネル１２においては、温水循環パイプ１８を湾曲させることによって構成された湾曲部３０と、温水循環パイプ１８を基板２０の長手方向へ延ばすことによって構成された直線部３２とを有する複数の加熱部２８ａ〜２８ｃが基板２０の長手方向に並べて配置されている。そして、基板２０の幅方向における温水循環パイプ１８の重なり数が基板２０の長手方向において部分的に減らされている。したがって、温水循環パイプ１８の重なり数が減らされた部分では、溝の数も減らされることになり、基板の強度が高められる。【選択図】      図２
2005127580.tif 000002
【特許請求の範囲】
【請求項１】
溝が形成された長尺板状の基板を含むパネル本体と前記溝に収容された温水循環パイプとを備え、前記温水循環パイプを流れる温水の熱を前記基板に伝えるようにした、一体型床暖房パネルであって、
前記温水循環パイプを湾曲させることによって構成された湾曲部と、前記温水循環パイプを前記基板の長手方向へ延ばすことによって構成された直線部とを有する複数の加熱部が前記基板の長手方向に並べて配置されており、前記基板の幅方向における前記温水循環パイプの重なり数が前記基板の長手方向において部分的に減らされている、一体型床暖房パネル。
【請求項２】
前記基板の長手方向に第１加熱部，第２加熱部および第３加熱部がこの順に配置されており、前記温水を前記第２加熱部，前記第３加熱部，前記第１加熱部の順に流すようにした、請求項１に記載の一体型床暖房パネル。
【発明の詳細な説明】
【技術分野】
【０００１】
本発明は、溝が形成された長尺板状の基板を含むパネル本体と溝に収容された温水循環パイプとを備え、温水循環パイプを流れる温水の熱を基板に伝えるようにした、一体型床暖房パネルに関する。
【背景技術】
【０００２】
この種の従来の一体型床暖房パネルの一例が、特開２０００−２４８７３１号公報に開示されている。この従来技術では、長尺板状の基板の表面に溝が蛇行して形成されており、この溝内に温水循環パイプが収容されていた。
【特許文献１】特開２０００−２４８７３１号
【発明の開示】
【発明が解決しようとする課題】
【０００３】
従来の一体型床暖房パネルでは、温水循環パイプが基板の長手方向のほぼ全長にわたって直線状に延ばされるとともに、長手方向のほぼ両端部において折り返されていたので、基板の幅方向における温水循環パイプの重なり数が長手方向のほぼ全長にわたって多くなり過ぎていた。そのため、温水循環パイプを収容する溝も多くなり過ぎて基板の強度が損なわれ、基板が幅方向において湾曲してしまうおそれがあった。
【０００４】
また、温水循環パイプの直線状に延ばされた部分は、連続して平行に配置されていたので、基板の幅方向における一端側（温水が最初に供給される側）と他端側（温水が最後に供給される側）との間の温度差が大きくなり過ぎて、基板に温度むらが生じるという問題があった。
【０００５】
それゆえに、この発明の主たる目的は、基板の変形（湾曲）を防止できる一体型床暖房パネルを提供することである。この発明の他の目的は、基板の温度むらを解消できる一体型床暖房パネルを提供することである。
【課題を解決するための手段】
【０００６】
請求項１に記載した発明は、「溝２２が形成された長尺板状の基板２０を含むパネル本体１６と溝２２に収容された温水循環パイプ１８とを備え、温水循環パイプ１８を流れる温水の熱を基板２０に伝えるようにした、一体型床暖房パネル１２であって、温水循環パイプ１８を湾曲させることによって構成された湾曲部３０と、温水循環パイプ１８を基板２０の長手方向へ延ばすことによって構成された直線部３２とを有する複数の加熱部２８ａ，２８ｂ，２８ｃが基板２０の長手方向に並べて配置されており、基板２０の幅方向における温水循環パイプ１８の重なり数が基板２０の長手方向において部分的に減らされている、一体型床暖房パネル１２」である。
【０００７】
この発明では、基板２０の幅方向における温水循環パイプ１８の重なり数が基板２０の長手方向において部分的に減らされているので、その減らされた部分においては、溝２２の数を減らすことができ、基板２０の強度を高めることができる。なお、「基板の幅方向における温水循環パイプの重なり数」とは、基板の幅方向に延びる仮想直線を想定したとき、その仮想直線と交わる溝の数をいうものとする。
【０００８】
請求項２に記載した発明は、請求項１に記載した「一体型床暖房パネル１２」において、「基板２０の長手方向に第１加熱部２８ａ，第２加熱部２８ｂおよび第３加熱部２８ｃがこの順に配置されており、温水を第２加熱部２８ｂ，第３加熱部２８ｃ，第１加熱部２８ａの順に流すようにした」ことを特徴とする。
【０００９】
この発明では、基板２０における長手方向の中央部，他方端部，一方端部の順に温水の熱が与えられるので、中央部が最も高温になり、一方端部が最も低温になり、他方端部が中間の温度になる。したがって、最高温の中央部と最低温の一方端部との間で熱交換されることによって、基板２０における温度差が小さくなる。
【発明の効果】
【００１０】
請求項１に記載した発明によれば、温水循環パイプの重なり数が減らされた部分において溝の数を減らすことができるので、その部分において基板の強度を高めることができ、基板が変形（湾曲）するのを防止できる。
【００１１】
請求項２に記載した発明によれば、基板における温度差を小さくすることができるので、基板の温度むらを解消できる。
【発明を実施するための最良の形態】
【００１２】
図１に示したパネルユニット１０は、本発明が適用された２つの一体型床暖房パネル１２および１４を組み合わせることによって構成されたものであり、複数のパネルユニット１０が床に敷設されることによって、図５に示すような床暖房システムＡが構築される。２つの一体型床暖房パネル１２および１４は、基本的構成において共通しているので、以下には、まず、一方の一体型床暖房パネル１２について詳細に説明し、その後、他方の一体型床暖房パネル１４について相違点を中心にして簡単に説明する。
【００１３】
一体型床暖房パネル１２は、図２および図３に示すように、導熱機能と装飾機能とを有するパネル本体１６と、温水による加熱機能を有する温水循環パイプ１８とを備えている。
【００１４】
パネル本体１６（図２，図３）は、木単板，合板，ＭＤＦ（中密度繊維板），ＨＤＦ（高密度繊維板），木削片板，合成樹脂板またはこれらの複合板等からなる長尺板状の基板２０を含み、基板２０の直交する２つの辺には突条２０ａが形成されており、基板２０の直交する他の２つの辺には条溝２０ｂ（図３）が形成されている。また、基板２０の裏面には、温水循環パイプ１８を収容する溝２２が形成されている。そして、基板２０の裏面および溝２２の内面には、アルミニウム等のような熱伝導性に優れたシート状またはフィルム状の均熱材２４が貼り付けられており、基板２０の表面には、ナラ、タモ、シナ、カバ等のような化粧単板やＷＰＣ加工された化粧単板等からなる表面材２６が貼り付けられている。
【００１５】
溝２２の深さおよび幅は、温水循環パイプ１８の直径よりもやや大きく設定されており、溝２２が描く蛇行線の形状は、後述する温水循環パイプ１８の配管形状に対応するように設定されている。
【００１６】
温水循環パイプ１８は、その内部を流れる温水によって基板２０を加熱するものであり、架橋ポリエチレン等のような可撓性材料によって連続的に形成されている。そして、この温水循環パイプ１８によって、第１加熱部２８ａ，第２加熱部２８ｂおよび第３加熱部２８ｃが構成されている。各加熱部２８ａ，２８ｂおよび２８ｃは、温水循環パイプ１８を湾曲させることによって構成された湾曲部３０と、温水循環パイプ１８を基板２０の長手方向へ延ばすことによって構成された直線部３２とを有しており、これらの加熱部２８ａ，２８ｂおよび２８ｃが、基板２０の長手方向にこの順に並べて配置されている。
【００１７】
そして、第２加熱部２８ｂの入口側端部が基板２０の長手方向端縁から外部へ引き出された給湯部３４に連通されており、第２加熱部２８ｂの出口側端部が連結部３６を介して第３加熱部２８ｃの入口側端部に連通されており、第３加熱部２８ｃの出口側端部が連結部３８を介して第１加熱部２８ａの入口側端部に連通されている。また、第１加熱部２８ａの出口側端部が基板２０の幅方向端縁から外部へ引き出された排出部４０に連通されている。基板２０の幅方向における温水循環パイプ１８の重なり数は、基板２０の長手方向において部分的に減らされており、この実施例では、基準となる重なり数が「４つ」であり、その重なり数が部分的に「２つ」に減らされている（図２，図３）。
【００１８】
上述した「溝２２が描く蛇行線」の形状は、このような温水循環パイプ１８の配管形状に対応しているので、温水循環パイプ１８の重なり数が減らされた部分においては、溝２２の数も減らされることになり、基板２０の強度が高められている。つまり、一般に、基板２０に溝２２を形成すると、その部分においては、基板２０の肉厚が薄くなって強度が低下するが、この実施例では、基板２０の幅方向へ並ぶ溝２２の数を部分的に減らすことができるので、基板２０の強度を高めることができる。
【００１９】
他方の一体型床暖房パネル１４は、図４に示すように、溝が形成された基板４２を含むパネル本体４４と、温水を流す温水循環パイプ１８とを備えている。この一体型床暖房パネル１４の基本的構成は、上述の一体型床暖房パネル１２と同じであり、両者は、温水循環パイプ１８における給湯部３４，４６および排出部４０，４８の形状において相違する。
【００２０】
つまり、パネルユニット１０においては、一体型床暖房パネル１２および１４に対して温水が連続的に供給されるので、一方の一体型床暖房パネル１２の排出部４０と他方の一体型床暖房パネル１４の給湯部４６とを接続する必要がある。そこで、この接続を容易にするために、一体型床暖房パネル１４の給湯部４６が基板４２の幅方向端縁から引き出されている。また、一体型床暖房パネル１２および１４は、互いに長手方向へずらした状態で組み合わされるので、一体型床暖房パネル１４においては、給湯部４６が引き出された箇所と基板４２の長手方向端縁との間にスペースＳ（図４）が生じることになる。そこで、このスペースＳに対しても温水の熱を与えるために、温水循環パイプ１８（排出部４８）を蛇行させることによって第４加熱部５０が構成されている。
【００２１】
パネルユニット１０（図１）を組み立てる際には、まず、一方の一体型床暖房パネル１２の排出部４０と他方の一体型床暖房パネル１４の給湯部４６とを接続し、その後、一方の一体型床暖房パネル１２の突条２０ａと他方の一体型床暖房パネル１４の条溝５２ｂとを嵌め合わせる。そして、パネルユニット１０（図１）を用いて床暖房システムＡ（図５）を構築する際には、まず、一方のパネルユニット１０における一体型床暖房パネル１４の突条５２ａと他方のパネルユニット１０における一体型床暖房パネル１２の条溝２０ｂとを嵌め合わせて、複数のパネルユニット１０を相互に接合する。続いて、各パネルユニット１０の温水循環パイプ１８を給湯装置に接続する。
【００２２】
床暖房システムＡ（図５）を用いて暖房する際には、各パネルユニット１０の温水循環パイプ１８に給湯装置から温水を供給する。すると、一体型床暖房パネル１２および１４においては、温水が第２加熱部２８ｂ，第３加熱部２８ｃおよび第１加熱部２８ａの順に供給され、この温水によって基板２０が加熱される。
【００２３】
このとき、給湯装置の吐出口から吐出された温水の温度は、吐出直後に最も高温であり、吐出口から遠ざかるにつれて冷却されて低温になるので、一体型床暖房パネル１２および１４においては、温水が最初に供給される第２加熱部２８ｂの温度が最も高くなり、次に、第３加熱部２８ｃの温度が高くなり、第１加熱部２８ａの温度が最も低くなる。したがって、最も高温になる第２加熱部２８ｂと最も低温になる第１加熱部２８ａとが隣接することになり、これらの間で基板２０を介して熱交換されることによって基板２０における温度差が小さくなり、ひいては基板２０の温度むらが解消される。
【００２４】
なお、上述の一体型床暖房パネル１２および１４では、第２加熱部２８ｂ，第３加熱部２８ｃおよび第１加熱部２８ａの順に温水を供給するようにしているが、温水を供給する順番は適宜変更可能であり、たとえば図６に示すように、第１加熱部２８ａ，第２加熱部２８ｂおよび第３加熱部２８ｃの順に供給するようにしてもよい。また、加熱部２８の数は適宜変更可能であり、たとえば図７または図８に示すように、２つであってもよいし、４つ以上（図示省略）であってもよい。さらに、加熱部２８の形状は適宜変更可能であり、たとえば図８に示すように、Ｌ状であってもよい。これらの場合（図６，図７，図８）でも、基板の幅方向における温水循環パイプ１８の重なり数を基板の長手方向において部分的に減らすようにしているので、溝の数を部分的に減らすことができ、基板の強度を高めることができる。
【図面の簡単な説明】
【００２５】
【図１】パネルユニットを示す図である。
【図２】一方の一体型床暖房パネルを示す図である。
【図３】図２におけるＡ−Ａ，Ｂ−Ｂ，Ｃ−Ｃ，Ｄ−Ｄ端面図である。
【図４】他方の一体型床暖房パネルを示す図である。
【図５】床暖房システムを示す図である。
【図６】他の一体型床暖房パネルを示す図である。
【図７】他の一体型床暖房パネルを示す図である。
【図８】他の一体型床暖房パネルを示す図である。
【符号の説明】
【００２６】
１０…  パネルユニット
１２，１４…  一体型床暖房パネル
１６，４４…  パネル本体
１８…  温水循環パイプ
２０，４２…  基板
２２…  溝
２４…  均熱材
２６…  表面材
２８…  加熱部
２８ａ…  第１加熱部
２８ｂ…  第２加熱部
２８ｃ…  第３加熱部
５０…  第４加熱部
３０…  湾曲部
３２…  直線部
３４，４６…  給湯部
３６，３８…  連結部
４０，４８…  排出部
【図１】
2005127580.tif 000003
【図２】
2005127580.tif 000004
【図３】
2005127580.tif 000005
【図４】
2005127580.tif 000006
【図５】
2005127580.tif 000007
【図６】
2005127580.tif 000008
【図７】
2005127580.tif 000009
【図８】
2005127580.tif 000010